(57)【特許請求の範囲】
【請求項１】
商品の陳列に必要な所定の表面積を有する平板状のボード本体と、商品の仕切り板又は商品の陳列面となる板状物を備え、
取り付けられる前記板状物が天面に対して直立姿勢をとる所定の溝幅を有する垂直溝と、取り付けられる前記板状物が天面に対して傾斜姿勢をとる傾斜溝が、前記ボード本体の天面の全域又は一部に形成されるものであり、
前記垂直溝と傾斜溝は、前記傾斜溝を該垂直溝を形成する一方の内壁のやや上方から斜め下方に所定の溝幅で切り欠いて形成し、該垂直溝の底面と該傾斜溝の底面とが連続することなく、独立して形成されるものであって、垂直溝と傾斜溝の開口が共通すると共に、垂直溝を形成する他方の内壁の上端の角が面取りされた複合溝であることを特徴とする商品陳列用ボード。
【請求項２】
更に縦溝が、前記ボード本体の天面の全域又は一部に形成されることを特徴とする請求項１記載の商品陳列用ボード。
【請求項３】
前記縦溝は、該ボード本体の天面の全域に亘り、左右方向に所定のピッチで多数形成されることを特徴とする請求項１又は２記載の商品陳列用ボード。
【請求項４】
第１板状物の１又は２以上が垂直溝に設置され、第２板状物の１又は２以上が傾斜溝に設置されることを特徴とする請求項１〜３のいずれか１項に記載の商品陳列用ボード。
【請求項５】
更に、第３板状物の１又は２以上が縦溝に設置されることを特徴とする請求項３記載の商品陳列用ボード。
【請求項６】
前記第１板状物、第２板状物及び第３板状物は、同一形状物であることを特徴とする請求項３〜５のいずれか１項に記載の商品陳列用ボード。
【請求項７】
前記ボード本体の天面が、前方下がり傾斜となるように設置されることを特徴とする請求項１〜６のいずれか１項記載の商品陳列用ボード。
【発明の詳細な説明】
【技術分野】
【０００１】
本発明は、商品の仕切り板又は商品の陳列面となる板状物を、ひとつのボード本体に形成された垂直溝と傾斜溝に自在に組み付けることが可能な商品陳列用ボードに関するものである。
【背景技術】
【０００２】
スーパーなどにおける青果用冷ケースやワゴン等において、オレンジやリンゴ等の丸物商品、ねぎやごぼう等の長物商品又はほうれん草やサラダ菜等の葉物商品などを陳列するに際しては、冷ケースやワゴン等を構成する陳列枠体に底板（棚板）を取り付け、この底板上に商品を載置することにより商品を陳列し、あるいは底板上に仕切板を載置することにより、底板上の商品を種別ごとに整理して陳列したり、また、陳列商品にボリューム感を持たせるとともに商品の見栄えをよくするために、底板自体を傾斜して取り付けたり、またはアンコと称するボリュームアップ用部材を底板上にセットし、このボリュームアップ用部材に葉物商品など商品を立て掛け状態に載せて陳列するようにしている。これにより、商品陳列をきれいに、かつ効果的に演出し、消費者の購買意欲を高めるようにしている。
【０００３】
特開２００１−１９７９７７号公報には、商品の陳列に必要な所定の表面積を有する平板状のボード本体を備え、前記ボード本体に該ボード本体の天面の全域に亘り、通気を兼ねた商品仕切り板用のスリット状の横溝が前後方向に所定の間隔で多数形成された商品陳列用ボードが開示されている。この商品陳列用ボードによれば、商品の陳列形態に応じた種々の使用形態に適用できるとともに、転び止めや仕切等の陳列用品の組み付けを可能にし、併せて塵埃が滞留しにくく、かつ通気性が良好である。
【０００４】
しかしながら、近年、商品の陳列を、簡易な方法で、消費者の購買意欲を高めるように効果的に演出する要求は止まるところを知らない。特開２００１−１９７９７７号公報記載の商品陳列ボードに形成される横溝は、取り付けられる商品仕切り板が垂直姿勢をとるだけであり、陳列の演出を高める要求には必ずしも満足するものではなかった。そこで、商品陳列用ボードの水平使用及び傾斜使用において、板状物を利用した従来には無い、効果的な陳列の演出ができる商品陳列用ボードの開発が望まれていた。
【特許文献１】特開２００１−１９７９７７号公報（段落００１８、第７図）
【発明の開示】
【発明が解決しようとする課題】
【０００５】
従って、本発明の目的は、商品陳列用ボードの陳列面を、簡易にしかも低コストで前後方向に区画でき、且つ陳列の演出を高めることができる商品陳列用ボードを提供することにある。  
【課題を解決するための手段】
【０００６】
すなわち、本発明は、商品の陳列に必要な所定の表面積を有する平板状のボード本体と、商品の仕切り板又は商品の陳列面となる板状物を備え、取り付けられる前記板状物が天面に対して直立姿勢をとる所定の溝幅を有する垂直溝と、取り付けられる前記板状物が天面に対して傾斜姿勢をとる傾斜溝が、前記ボード本体の天面の全域又は一部に形成されるものであり、前記垂直溝と傾斜溝は、前記傾斜溝を該垂直溝を形成する一方の内壁のやや上方から斜め下方に所定の溝幅で切り欠いて形成し、該垂直溝の底面と該傾斜溝の底面とが連続することなく、独立して形成されるものであって、垂直溝と傾斜溝の開口が共通すると共に、垂直溝を形成する他方の内壁の上端の角が面取りされた複合溝であることを特徴とする商品陳列用ボードを提供するものである。
【０００７】
本発明の商品陳列用ボードによれば、１つのボード本体の陳列面に、同じ形状の商品の仕切り板又は商品の陳列面となる板状物を、天面に対して垂直姿勢又は傾斜姿勢の２通りの方法で差し込むことができるため、商品陳列用ボードを水平設置及び前方下り傾斜設置を組み合わせることで、趣きのある陳列面を演出できる。また、複数の板状物は全て同一形状物を使用することができるため、コストを低減でき、また保管も容易である。また、商品陳列用ボードに横溝と縦溝からなる碁盤目溝を形成し、第１板状物又は第２板状物と、第３板状物をそれぞれ２以上使用し、ボード本体の天面上に囲み部を形成すれば、陳列の演出を更に高めることができる。
【発明を実施するための最良の形態】
【０００８】
次に、本発明の参考例となる第１の実施の形態における商品陳列用ボードを第１図〜第４図を参照して説明する。第１図は本例の商品陳列用ボードの斜視図、第２図及び第３図は本例の商品陳列用ボードの一部を示す拡大図、第４図は第１図の商品陳列用ボードを前後方向に反転し、且つ前方下り傾斜で設置した図である。本明細書中、符号Ｘは前側、すなわち、顧客側を言い、符号Ｙは後側を言う。また、左右方向は顧客側から見る方向を言う。
【０００９】
商品陳列用ボード１は、商品の陳列に必要な所定の表面積を有する平板で且つ矩形状のボード本体１０と、第１板状物２１と、第２板状物２２を備える。ボード本体１０はボード基板層１１ａとボード基板上の溝形成層１１ｂの２層構造であり、通常一体成形により作製されるものである。また、商品陳列用ボード１は、ボード本体１０の天面１５の全域に亘り、互いに独立の横溝である垂直溝１２と傾斜溝１３が前後方向に所定のピッチで交互に多数形成されている。なお、垂直溝１２と傾斜溝１３の配列形態としては、上記配列形態に限定されず、ボード本体１０の前後方向に任意のピッチで配列される形態、ボード本体１０の天面の一部に形成される形態及びこれらを組み合わせた形態などが挙げられる。
【００１０】
垂直溝１２は、第２図に示すように、平板で且つ矩形状の第１板状物２１が嵌め込まれた際、第１板状物２１を天面１５に対して垂直姿勢とすることができる形状のものであり、前後方向における所定の溝幅を天面１５に対して垂直方向に所定の深さを有し、左右方向に連続する溝である。
【００１１】
傾斜溝１３は、第３図に示すように、平板で且つ矩形状の第２板状物２２が嵌め込まれた際、第２板状物２２を天面１５に対して傾斜姿勢とすることができる形状のものであり、前後方向における所定の溝幅を天面１５に対して傾斜方向に所定の深さを有し、左右方向に連続する溝である。傾斜溝１３の鉛直方向に対する傾斜角（β）としては、特に制限されないが、２０〜７０度が好ましく、特に４０〜６０度が好ましい。また、傾斜溝１３は前方下り傾斜であっても、後方下り傾斜であってもよい。また、前方下り傾斜の傾斜溝と、後方下り傾斜の傾斜溝は、それぞれ独立の横溝であって、ボード本体１０に、共に存在するものであってもよい。
【００１２】
第１板状物２１及び第２板状物２２の形状としては、特に制限されず、ボード本体１０の大きさ、使用目的あるいは陳列する商品の大きさなどにより適宜決定されるが、横長の矩形状の板状物が好ましく、更に、第１板状物２１及び第２板状物２２を同じ形状とすることが、使い勝手がよく、且つ製造コストを低減できる点で好ましい。
【００１３】
商品陳列用ボード１の使用方法の一例を第１図を参照して説明する。複数枚の第１板状物２１を垂直溝１２に前後方向に対して所定のピッチで差し込み、陳列面を形成し（第１図の右側）、一方、複数枚の第２板状物２２を傾斜溝１３に前後方向に対して所定のピッチで差し込み、陳列面を形成する（第１図の左側）。第１図における商品陳列用ボード１によれば、第１板状物２１は、陳列商品を前後方向に区画する商品仕切り板として機能し、第２板状物２２は、陳列商品を傾斜状に載置する陳列面として機能する。また、商品陳列用ボード１の設置形態としては、特に制限されず、前後方向に反転して設置する形態、前方下り傾斜で設置する形態及び前後方向に反転して且つ前方下り傾斜で設置する形態等が挙げられる（第４図）。第４図における商品陳列用ボード１によれば、第１板状物２１は、陳列商品の仕切り板又は転落防止板として機能し、第２板状物２２は、陳列商品を水平状に載置する陳列面として機能する。
【００１４】
また、ボード本体１０としては、１枚もの、複数枚を並べて設置したもの及び複数枚を接合したボード等が挙げられる。また、天面に傾斜角を付ける方法としては、特に制限されず、所定の傾斜面を有する基台に設置する方法及び後方の垂直壁又は桟部材の立て掛ける方法等が挙げられる。
【００１５】
このように、商品陳列用ボード１によれば、１つのボード本体１０の陳列面に、同じ形状の板状物を、天面に対して垂直姿勢又は傾斜姿勢の２通りの方法で差し込むことができ、２つの簡易な部材にも拘わらず、趣きのある陳列面を演出できる。また、複数の板状物は全て同一物を使用することができるため、コストを低減でき、また保管も容易である。
【００１６】
次に、本発明において参考例となる第２の実施の形態の商品陳列用ボードを第５図及び第６図を参照して説明する。第５図及び第６図において、第１図〜第４図と同一構成要素には同一符号を付してその説明を省略し、異なる点について、主に説明する。すなわち、第２の実施の形態の商品陳列用ボード１ａにおいて、第１の実施の形態の商品陳列用ボード１と異なる点は、ボード本体の溝形成層１１ｂに、前後方向に延出する縦溝１４を左右方向に所定のピッチで多数形成し、更に縦溝１４に第３板状物２３を取り付けたものである。なお、第５図では第３板状物２３の記載を省略した。すなわち、商品陳列用ボード１ａは、ボード本体１０の天面１５の全域に亘り縦溝１２と横溝１３が所定の間隔で碁盤目状に多数形成されたものである。
【００１７】
縦溝１４は、平板で且つ矩形状の第３板状物２３が嵌め込まれた際、第３板状物２３を天面１５に対して垂直姿勢とすることができる形状のものであり、前後方向における所定の溝幅を天面１５に対して垂直方向に所定の深さを有し、左右方向に連続する垂直溝である。
【００１８】
第３板状物２３の形状としては、特に制限されず、ボード本体１０の大きさ、使用目的あるいは陳列する商品の大きさなどにより適宜決定されるが、横長の矩形状の板状物が好ましく、更に、第１板状物２１及び第２板状物２２と同じ形状とすることが、使い勝手がよく、且つ製造コストを低減できる点で好ましい。
【００１９】
次に、第２の実施の形態の商品陳列用ボード１ａの使用例を第６図を参照して説明する。第６図の商品陳列用ボード１ａは、第５図の商品陳列用ボード１ａに対して、ボード本体１０ａの大きさをボード本体１０より大きくした点、第１板状物２１、第２板状物２２及び第３板状物２３をそれぞれ更に多数個使用し、種々の大きさ及び種々の形状の陳列面や囲み部を天面１５に形成した点にある。
【００２０】
第６図の商品陳列用ボード１ａにおいて、第２板状物２２により形成される陳列面ａは、パック物商品Ａを後方傾斜で整然と陳列することができる。また、第２板状物２２及び第３板状物２３を用いて形成される囲み部ｂは、陳列商品を後方傾斜で、且つ左右方向に区画された陳列面とすることができる。また、第１板状物２１及び第３板状物２３を用いて形成される囲み部ｃは、前後方向及び左右方向に区画された矩形状の陳列面とすることができる。
【００２１】
また、第２の実施の形態の商品陳列用ボード１ａの他の使用例を第７図を参照して説明する。第７図の商品陳列用ボード１ａは、第６図の商品陳列用ボード１ａに対して、天面１５が前方下り傾斜となるように設置した点にある。具体的には、前方下り傾斜面を有する三角形断面形状の基台１８の傾斜面にボード本体１０ａを設置した点にある。
【００２２】
第２の実施の形態の商品陳列用ボード１ａによれば、第１の実施の形態の商品陳列用ボード１と同様の効果を奏する他、３つの板状物を組み合わせて丸物商品、不定形商品、長物商品等種々の形状を呈する商品を同じ陳列面に陳列することができる。また、大きなサイズのボード本体を大きく傾斜させることができるため、醍醐味のある陳列を演出することができる。
【００２３】
次に、本発明の第３の実施の形態における商品陳列用ボードを第８図〜第１１図を参照して説明する。第８図は本例の商品陳列用ボードの斜視図、第９図及び第１０図は本例の商品陳列用ボードの一部を示す拡大図、第１１図は第１図の商品陳列用ボードを前後方向に反転し、且つ前方下り傾斜で設置した図である。
【００２４】
第８図〜第１１図において、第１図〜第４図と同一構成要素には同一符号を付して、その説明を省略し、異なる点について、主に説明する。すなわち、第８図〜第１１図において、第１図〜第４図と異なる点は、垂直溝１２と傾斜溝１３ａは、垂直溝１２内に傾斜溝１３ａが形成された複合溝１７とした点にある。
【００２５】
すなわち、複合溝１７は、傾斜溝１３ａを垂直溝１２を形成する一方の内壁のやや上方から斜め下方に向けて切り欠いて形成したものであって、垂直溝１２と傾斜溝１３ａの開口が共通すると共に、垂直溝１２を形成する他方の内壁の上端の角は、面取り１８がされたものである。複合溝１７の配列形態としては、上記配列形態に限定されず、第１の実施の形態の商品陳列用ボード１と同様に、ボード本体１０の前後方向に任意のピッチでの配列形態、ボード本体１０の天面の一部に形成される形態及びこれらを組み合わせた形態などが挙げられる。また、複合溝１７における傾斜溝１３ａは前方下り傾斜であっても、後方下り傾斜であってもよい。
【００２６】
商品陳列用ボード１ｂの使用方法の一例を第８図を参照して説明する。複数枚の第１板状物２１を複合溝１７の垂直溝１２に前後方向に対して所定のピッチで差し込み、陳列面を形成し（第８図の右側）、一方、複数枚の第２板状物２２を複数溝１７の傾斜溝１３ａに前後方向に対して所定のピッチで差し込み、陳列面を形成する（第８図の左側）。第８図における商品陳列用ボード１によれば、第１板状物２１は、陳列商品を前後方向に区画する仕切り板として機能し、第２板状物２２は、陳列商品を傾斜状に載置する陳列面として機能する。
【００２７】
次に、第４の実施の形態の商品陳列用ボードを第１２図及び第１３図を参照して説明する。第１２図及び第１３図において、第５図〜第１１図と同一構成要素には同一符号を付してその説明を省略し、異なる点について、主に説明する。すなわち、第４の実施の形態の商品陳列用ボード１ｃにおいて、第３の実施の形態の商品陳列用ボード１ｂと異なる点は、ボード本体１０ｂの溝形成層１１ｂに、前後方向に延出する縦溝１４を左右方向に所定のピッチで多数形成し、更に縦溝１４に第３板状物２３を取り付けたものである。なお、第１２図では第３板状物２３の記載を省略した。すなわち、商品陳列用ボード１ｃは、ボード本体１０ｂの天面１５の全域に亘り縦溝１２と複合溝１７が所定の間隔で碁盤目状に多数形成されたものである。
【００２８】
また、第４の実施の形態の商品陳列用ボード１ｃの他の使用例を第１４図を参照して説明する。第１４図の商品陳列用ボード１ｃは、第７図の商品陳列用ボード１ａと同様に、天面１５が前方下り傾斜となるように設置した点にある。具体的には、前方下り傾斜面を有する三角形断面形状の基台１８の傾斜面にボード本体１０ｂを設置した点にある。本例の商品陳列用ボード１ｃによれば、第７図の商品陳列用ボード１ａと同様の効果を奏する他、第３板状物２３の使用により、更に陳列商品を左右方向に区画することができる。また、同様に、種々の形状を呈する商品を同じ陳列面に陳列することができる。
【産業上の利用可能性】
【００２９】
本発明の商品陳列用ボードは、部品点数が少ない簡易な構造であるにも係らず、スーパー、百貨店などの青果用冷ケースやワゴン等において、オレンジやリンゴ等の丸物商品、ねぎやごぼう等の長物商品又はほうれん草やサラダ菜等の葉物商品などを、ひとつのボード本体面に商品の種別ごとに趣きやボリューム感を持たせて陳列ができるため、販売促進に貢献できる。
【図面の簡単な説明】
【００３０】
【図１】第１の実施の形態における商品陳列用ボードの斜視図である。
【図２】本例の商品陳列用ボードの一部を示す拡大図である。
【図３】本例の商品陳列用ボードの一部を示す拡大図である。
【図４】第１図の商品陳列用ボードを前後方向に反転し、且つ前方下り傾斜で設置した側面図である。
【図５】第２の実施の形態の商品陳列用ボードの斜視図である。
【図６】第２の実施の形態の商品陳列用ボードの他の斜視図である。
【図７】第２の実施の形態の商品陳列用ボードの他の斜視図である。
【図８】第３の実施の形態における商品陳列用ボードの斜視図である。
【図９】本例の商品陳列用ボードの一部を示す拡大図である。
【図１０】本例の商品陳列用ボードの一部を示す拡大図である。
【図１１】第１図の商品陳列用ボードを前後方向に反転し、且つ前方下り傾斜で設置した図である。
【図１２】第４の実施の形態の商品陳列用ボードの斜視図である。
【図１３】第４の実施の形態の商品陳列用ボードの他の斜視図である。
【図１４】第４の実施の形態の商品陳列用ボードの他の斜視図である。
【図１】
0004116036.tif 000002
【図２】
0004116036.tif 000003
【図３】
0004116036.tif 000004
【図４】
0004116036.tif 000005
【図５】
0004116036.tif 000006
【図６】
0004116036.tif 000007
【図７】
0004116036.tif 000008
【図８】
0004116036.tif 000009
【図９】
0004116036.tif 000010
【図１０】
0004116036.tif 000011
【図１１】
0004116036.tif 000012
【図１２】
0004116036.tif 000013
【図１３】
0004116036.tif 000014
【図１４】
0004116036.tif 000015